(57)【要約】【課題】各工程において、その工程より前の複数の工程の順序が正しくない場合に、その工程おける処理を禁止することが可能な順序管理システムを提供する。【解決手段】照合装置２は、認証カード３と通信を行い、認証カード３から履歴情報を取得して照合を行い、照合結果に基づいて、開閉部１０の開閉を制御する。また、照合装置２は、開閉部１０を開動作するように制御した場合に、認証カード３に、ユーザがその開閉部１０を通過した旨の記録を示す情報を書き込むための処理を行う。【選択図】図１
2011044010.tif 000002
【特許請求の範囲】
【請求項１】
通信対象と、
前記通信対象と通信する複数の通信手段と、
前記通信対象が前記複数の通信手段のうちの第１の通信手段と通信する以前に通信すべき前記複数の通信手段の順序を定めた１つ以上の基準順序情報を記憶する基準順序情報記憶手段と、
前記通信対象が前記第１の通信手段と通信する以前に通信した前記複数の通信手段の順序の履歴に関する履歴情報を記憶する履歴情報記憶手段と、
前記通信対象が前記第１の通信手段と通信する場合に、前記基準順序情報と前記履歴情報とを照合し、前記基準順序情報と前記履歴情報とが一致するか否かを判断する照合手段と
を有する順序管理システム。
【請求項２】
前記履歴情報記憶手段は、前記通信対象に設けられている
請求項１に記載の順序管理システム。
【請求項３】
前記通信対象が前記複数の通信手段のうちの第１の通信手段と通信する以前に前記複数の通信手段と通信すべき時間を定めた許容時間情報を記憶する許容時間情報記憶手段と、
前記通信対象が前記第１の通信手段と通信する以前に前記複数の通信手段と通信した時刻に関する時刻情報を記憶する時刻情報記憶手段と
をさらに有し、
前記照合手段は、前記許容時間情報と前記時刻情報とを照合する
請求項１または２に記載の順序管理システム。
【請求項４】
前記照合手段による照合の結果を表示する表示手段
をさらに有する
請求項１から３のいずれかに記載の順序管理システム。
【請求項５】
使用者の識別子を記憶した識別子記憶媒体と、
前記識別子記憶媒体と通信して前記識別子記憶媒体から取得した情報の照合を行う複数の照合装置と、
前記複数の照合装置それぞれに対応して設けられ、対応する前記照合装置の制御に基づいて開動作を行う複数の開閉部と
を有し、
前記識別子記憶媒体は、前記複数の照合装置のうちの第１の照合装置と通信する以前に通信した前記複数の照合装置の順序の履歴に関する履歴情報をさらに記憶し、
前記複数の照合装置のうちの第１の照合装置は、
前記識別子記憶媒体が当該第１の照合装置と通信する以前に通信すべき前記複数の照合装置の順序を定めた１つ以上の基準順序情報を記憶する基準順序情報記憶手段と、
前記識別子記憶媒体が当該第１の照合装置と通信する場合に、前記基準順序情報と前記履歴情報とを照合し、前記基準順序情報と前記履歴情報とが一致するか否かを判断する照合手段と、
前記照合手段による照合結果が一致を示すと判断された場合に、前記開閉部を開動作させるように制御する制御手段と
を有する
開閉システム。
【請求項６】
自身の順序管理装置と通信する以前に通信した前記複数の順序管理装置の順序の履歴に関する履歴情報を記憶する記憶媒体から、前記履歴情報を取得する情報取得手段と、
前記記憶媒体が自身の順序管理装置と通信する以前に通信すべき複数の順序管理装置の順序を定めた１つ以上の基準順序情報を記憶する基準順序情報記憶手段と、
前記記憶媒体と通信する場合に、前記基準順序情報と前記履歴情報とを照合し、前記基準順序情報と前記履歴情報とが一致するか否かを判断する照合手段と
を有する順序管理装置。
【請求項７】
自身の順序管理装置と通信する以前に通信した前記複数の順序管理装置の順序の履歴に関する履歴情報を記憶する記憶媒体から、前記履歴情報を取得する情報取得ステップと、
前記記憶媒体と通信する場合に、前記履歴情報と、前記記憶媒体が自身の順序管理装置と通信する以前に通信すべき複数の順序管理装置の順序を定めた１つ以上の基準順序情報とを照合し、前記基準順序情報と前記履歴情報とが一致するか否かを判断する照合ステップと
を前記順序管理装置に実行させる順序管理プログラム。
【請求項８】
複数の通信対象と、
前記複数の通信対象と通信する通信手段と、
前記通信手段が前記複数の通信対象のうちの第１の通信対象と通信する以前に通信すべき前記複数の通信対象の順序を定めた１つ以上の基準順序情報を記憶する基準順序情報記憶手段と、
前記通信手段が前記第１の通信対象と通信する以前に通信した前記複数の通信対象の順序の履歴に関する履歴情報を記憶する履歴情報記憶手段と、
前記通信手段が前記第１の通信対象と通信する場合に、前記基準順序情報と前記履歴情報とを照合し、前記基準順序情報と前記履歴情報とが一致するか否かを判断する照合手段と
を有する順序管理システム。
【請求項９】
使用者の識別子を記憶する識別子記憶媒体
をさらに有し、
前記履歴情報記憶手段は、前記識別子記憶媒体に設けられている
請求項８に記載の順序管理システム。
【請求項１０】
前記照合手段による照合の結果を表示する表示手段
をさらに有する
請求項８または９に記載の順序管理システム。
【請求項１１】
複数の通信対象のうちの第１の通信対象と通信する以前に通信すべき前記複数の通信対象の順序を定めた１つ以上の基準順序情報を取得する基準順序情報取得手段と、
前記第１の通信対象と通信する以前に通信した前記複数の通信対象の順序の履歴に関する履歴情報を取得する履歴情報取得手段と、
前記第１の通信対象と通信する場合に、前記基準順序情報と前記履歴情報とを照合し、前記基準順序情報と前記履歴情報とが一致するか否かを判断する照合手段と
を有する順序管理装置。
【請求項１２】
複数の通信対象のうちの第１の通信対象と通信する以前に通信すべき前記複数の通信対象の順序を定めた１つ以上の基準順序情報を取得する基準順序情報取得ステップと、
前記第１の通信対象と通信する以前に通信した前記複数の通信対象の順序の履歴に関する履歴情報を取得する履歴情報取得ステップと、
前記第１の通信対象と通信する場合に、前記基準順序情報と前記履歴情報とを照合し、前記基準順序情報と前記履歴情報とが一致するか否かを判断する照合ステップと
を順序管理装置に実行させる順序管理プログラム。
【発明の詳細な説明】
【技術分野】
【０００１】
本発明は、順序管理システム、開閉システム、順序管理装置およびプログラムに関する。
【背景技術】
【０００２】
特許文献１は、非接触ＩＣ手段を用いて入出管理を行うセキュリティーシステムを用いた会議室に対して、該当する会議への出席の有無を自動的に認識することで、該当の会議に対するセキュリティーレベルを設定し、上記セキュリティーレベルに応じた配布物を自動的に配布する会議室システムを開示する。
特許文献２は、非接触IC手段に記憶された情報を読み出し/書き込みを行うリーダー/ライタ機能を有するゲート手段を複数有するセキュリティーシステムにおいて、ゲート手段を通ってセキュリティーエリア内外を出入りする際に入出管理を行うとともに、セキュリティーエリア外から内に入る際には、デジタルカメラ内の非接触IC手段内にエリア内フラグを自動的に設定して撮影を制限するセキュリティーシステムを開示する。
【０００３】
特許文献３は、作業場、作業場の機械、安全具、作業者、作業責任者など人を対象にして、各対象を識別するＩＤ―ＴＡＧを付設して、これから認識符号を含むデータを読み取るＴＡＧリーダと、ホスト管理装置と、通信手段により、これとデータの授受を行い、応答出力を出す現場管理端末とを有していて、作業者の対象とする作業と安全手段を作業／安全の計画段階で関連付けて手順化し、自動的に手順（書）を生成させ、手順に基づいて安全手段を設置し確認し、作業段階では、安全手段が常に確保されていることを自動的に確認できる作業安全計画管理システムを開示する。
特許文献４は、利用者が出口セキュリティゲート装置を通過する際に、ＩＤ制御装置が、ＩＤ装置に対してＩＤ情報の出力をロックするよう指示するロック指示を、出口セキュリティゲート装置を介して出力し、ＩＤ装置では、ロック指示に基づいて、ＩＤ情報の出力をロックし、利用者がセキュリティゾーンに入場する際に、トークン装置が、ＩＤ情報の出力ロックの解除のための認証情報をＩＤ装置に送信し、ＩＤ装置は、記憶している認証情報と受信した認証情報とが一致する場合に、ＩＤ情報の出力ロックを解除し、入口セキュリティゲート装置にＩＤ情報を送信する情報処理方法を開示する。
【０００４】
特許文献５は、ドア１には、指紋識別ユニットがドア外に設置され、当該ドア１の照合による通過を記憶する通過履歴記憶手段が設けられ、ドア２は上記ドア１と同様の構成を有しており、加えて前扉本人照合確認手段が設けられ、前扉本人照合確認手段は、ドア２に係わる通過要求者がドア１で本人照合を行っているか否かを、ドア１の通過履歴記憶手段を参照して確認し、ドア１の通過履歴がない者は、ドア２の本人照合を行うことができず、ドア２の通過が許可されないアンチスルー機能を有するセキュリティシステムを開示する。
特許文献６は、管理ゲートの通過順序とゲート識別情報を対応付けたゲート巡回情報と最後に通過したゲートの識別情報を含む入室管理ファイルを記憶して、前記管理ゲートが送信したゲート識別情報を受信して、前記最後に通過したゲートの識別情報を更新して、管理ゲートが送信する入室管理ファイル要求を受信して、入室管理ファイルを返信するＩＣカードと、前記ＩＣカードから前記入室管理ファイルを受信して、前記入室管理ファイルに含まれる最後に通過したゲートの識別情報とゲート巡回情報から求めた、次に通過するゲート識別情報が、前記管理ゲートのメモリに記憶されているゲート識別情報と比較して一致すれば、前記管理ゲートの通過を許可する管理ゲートとから構成される入室管理システムを開示する。
【先行技術文献】
【特許文献】
【０００５】
【特許文献１】特開２００６−１７１８２５号公報
【特許文献２】特開２００７−８６８９６号公報
【特許文献３】特開２００８−１４６５０２号公報
【特許文献４】特開２００８−１５２４０８号公報
【特許文献５】特開２０００−３１５２９０号公報
【特許文献６】特開２００８−２４８５４７号公報
【発明の概要】
【発明が解決しようとする課題】
【０００６】
本発明の目的は、各工程において、その工程より前の複数の工程の順序が正しくない場合に、その工程おける処理を禁止することが可能な順序管理システムを提供することである。
【課題を解決するための手段】
【０００７】
請求項１にかかる本発明は、通信対象と、前記通信対象と通信する複数の通信手段と、前記通信対象が前記複数の通信手段のうちの第１の通信手段と通信する以前に通信すべき前記複数の通信手段の順序を定めた１つ以上の基準順序情報を記憶する基準順序情報記憶手段と、前記通信対象が前記第１の通信手段と通信する以前に通信した前記複数の通信手段の順序の履歴に関する履歴情報を記憶する履歴情報記憶手段と、前記通信対象が前記第１の通信手段と通信する場合に、前記基準順序情報と前記履歴情報とを照合し、前記基準順序情報と前記履歴情報とが一致するか否かを判断する照合手段とを有する順序管理システムである。
【０００８】
請求項２にかかる本発明は、前記履歴情報記憶手段は、前記通信対象に設けられている請求項１に記載の順序管理システムである。
【０００９】
請求項３にかかる本発明は、前記通信対象が前記複数の通信手段のうちの第１の通信手段と通信する以前に前記複数の通信手段と通信すべき時間を定めた許容時間情報を記憶する許容時間情報記憶手段と、前記通信対象が前記第１の通信手段と通信する以前に前記複数の通信手段と通信した時刻に関する時刻情報を記憶する時刻情報記憶手段とをさらに有し、前記照合手段は、前記許容時間情報と前記時刻情報とを照合する請求項１または２に記載の順序管理システムである。
【００１０】
請求項４にかかる本発明は、前記照合手段による照合の結果を表示する表示手段をさらに有する請求項１から３のいずれかに記載の順序管理システムである。
【００１１】
請求項５にかかる本発明は、使用者の識別子を記憶した識別子記憶媒体と、前記識別子記憶媒体と通信して前記識別子記憶媒体から取得した情報の照合を行う複数の照合装置と、前記複数の照合装置それぞれに対応して設けられ、対応する前記照合装置の制御に基づいて開動作を行う複数の開閉部とを有し、前記識別子記憶媒体は、前記複数の照合装置のうちの第１の照合装置と通信する以前に通信した前記複数の照合装置の順序の履歴に関する履歴情報をさらに記憶し、前記複数の照合装置のうちの第１の照合装置は、前記識別子記憶媒体が当該第１の照合装置と通信する以前に通信すべき前記複数の照合装置の順序を定めた１つ以上の基準順序情報を記憶する基準順序情報記憶手段と、前記識別子記憶媒体が当該第１の照合装置と通信する場合に、前記基準順序情報と前記履歴情報とを照合し、前記基準順序情報と前記履歴情報とが一致するか否かを判断する照合手段と、前記照合手段による照合結果が一致を示すと判断された場合に、前記開閉部を開動作させるように制御する制御手段とを有する開閉システムである。
【００１２】
請求項６にかかる本発明は、自身の順序管理装置と通信する以前に通信した前記複数の順序管理装置の順序の履歴に関する履歴情報を記憶する記憶媒体から、前記履歴情報を取得する情報取得手段と、前記記憶媒体が自身の順序管理装置と通信する以前に通信すべき複数の順序管理装置の順序を定めた１つ以上の基準順序情報を記憶する基準順序情報記憶手段と、前記記憶媒体と通信する場合に、前記基準順序情報と前記履歴情報とを照合し、前記基準順序情報と前記履歴情報とが一致するか否かを判断する照合手段とを有する順序管理装置である。
【００１３】
請求項７にかかる本発明は、自身の順序管理装置と通信する以前に通信した前記複数の順序管理装置の順序の履歴に関する履歴情報を記憶する記憶媒体から、前記履歴情報を取得する情報取得ステップと、前記記憶媒体と通信する場合に、前記履歴情報と、前記記憶媒体が自身の順序管理装置と通信する以前に通信すべき複数の順序管理装置の順序を定めた１つ以上の基準順序情報とを照合し、前記基準順序情報と前記履歴情報とが一致するか否かを判断する照合ステップとを前記順序管理装置に実行させる順序管理プログラムである。
【００１４】
請求項８にかかる本発明は、複数の通信対象と、前記複数の通信対象と通信する通信手段と、前記通信手段が前記複数の通信対象のうちの第１の通信対象と通信する以前に通信すべき前記複数の通信対象の順序を定めた１つ以上の基準順序情報を記憶する基準順序情報記憶手段と、前記通信手段が前記第１の通信対象と通信する以前に通信した前記複数の通信対象の順序の履歴に関する履歴情報を記憶する履歴情報記憶手段と、前記通信手段が前記第１の通信対象と通信する場合に、前記基準順序情報と前記履歴情報とを照合し、前記基準順序情報と前記履歴情報とが一致するか否かを判断する照合手段とを有する順序管理システムである。
【００１５】
請求項９にかかる本発明は、使用者の識別子を記憶する識別子記憶媒体をさらに有し、前記履歴情報記憶手段は、前記識別子記憶媒体に設けられている請求項８に記載の順序管理システムである。
【００１６】
請求項１０にかかる本発明は、前記照合手段による照合の結果を表示する表示手段をさらに有する請求項８または９に記載の順序管理システムである。
【００１７】
請求項１１にかかる本発明は、複数の通信対象のうちの第１の通信対象と通信する以前に通信すべき前記複数の通信対象の順序を定めた１つ以上の基準順序情報を取得する基準順序情報取得手段と、前記第１の通信対象と通信する以前に通信した前記複数の通信対象の順序の履歴に関する履歴情報を取得する履歴情報取得手段と、前記第１の通信対象と通信する場合に、前記基準順序情報と前記履歴情報とを照合し、前記基準順序情報と前記履歴情報とが一致するか否かを判断する照合手段とを有する順序管理装置である。
【００１８】
請求項１２にかかる本発明は、複数の通信対象のうちの第１の通信対象と通信する以前に通信すべき前記複数の通信対象の順序を定めた１つ以上の基準順序情報を取得する基準順序情報取得ステップと、前記第１の通信対象と通信する以前に通信した前記複数の通信対象の順序の履歴に関する履歴情報を取得する履歴情報取得ステップと、前記第１の通信対象と通信する場合に、前記基準順序情報と前記履歴情報とを照合し、前記基準順序情報と前記履歴情報とが一致するか否かを判断する照合ステップとを順序管理装置に実行させる順序管理プログラムである。
【発明の効果】
【００１９】
請求項１に係る本発明によれば、各工程において、その工程より前の複数の工程の順序が正しくない場合に、その工程おける処理を禁止することが可能な順序管理システムを提供できる。
【００２０】
請求項２に係る本発明によれば、請求項１に係る本発明により得られる効果に加えて、システムが停止した場合であっても、履歴情報の記憶を維持できる。
【００２１】
請求項３に係る本発明によれば、請求項１に係る本発明により得られる効果に加えて、許容時間を超過した場合に、その工程おける処理を禁止できる。
【００２２】
請求項４に係る本発明によれば、請求項１に係る本発明により得られる効果に加えて、本構成を有しない場合と比較して、使用者が照合結果を容易に認知できる。
【００２３】
請求項５に係る本発明によれば、本構成を有しない場合と比較して、定められた開閉部を通過しない者が特定の部屋へ進入することを防止可能な開閉システムを提供できる。
【００２４】
請求項６に係る本発明によれば、各工程において、その工程より前の複数の工程の順序が正しくない場合に、その工程おける処理を禁止することが可能な順序管理装置を提供できる。
【００２５】
請求項７に係る本発明によれば、各工程において、その工程より前の複数の工程の順序が正しくない場合に、その工程おける処理を禁止することが可能な順序管理プログラムを提供できる。
【００２６】
請求項８に係る本発明によれば、各工程において、その工程より前の複数の工程の順序が正しくない場合に、その工程おける処理を禁止することが可能な順序管理システムを提供できる。
【００２７】
請求項９に係る本発明によれば、請求項８に係る本発明により得られる効果に加えて、システムが停止した場合であっても、履歴情報の記憶を維持できる。
【００２８】
請求項１０に係る本発明によれば、請求項８に係る本発明により得られる効果に加えて、本構成を有しない場合と比較して、使用者が照合結果を容易に認知できる。
【００２９】
請求項１１に係る本発明によれば、各工程において、その工程より前の複数の工程の順序が正しくない場合に、その工程おける処理を禁止することが可能な順序管理装置を提供できる。
【００３０】
請求項１２に係る本発明によれば、各工程において、その工程より前の複数の工程の順序が正しくない場合に、その工程おける処理を禁止することが可能な順序管理プログラムを提供できる。
【図面の簡単な説明】
【００３１】
【図１】本実施形態にかかる開閉システムの構成を例示する図である。
【図２】図１に示した照合装置のハードウェア構成を示す図である。
【図３】照合装置において動作する照合プログラムを示すブロック・ダイアグラムである。
【図４】各情報を例示する図であり、（Ａ）は履歴情報を例示し、（Ｂ）は基準順序情報を例示し、（Ｃ）および（Ｄ）は照合装置が認証カードに対して送信する質問データを例示する。
【図５】図１に示した認証カードのハードウェア構成を例示する図である。
【図６】照合装置の処理を示すフローチャートである。
【図７】各部屋が独立した開閉システムを示す図である。
【図８】第２の実施形態にかかる順序管理システムの構成を例示する図である。
【図９】図８に示した携帯型質問器のハードウェア構成を示す図である。
【図１０】携帯型質問器において動作する照合プログラムを示す図である。
【図１１】測定器および薬の使用の順序の具体例を示す図である。
【図１２】図１１の例における基準順序情報および履歴情報を例示する図であり、（Ａ）は基準順序情報を例示し、（Ｂ）は履歴情報を例示する。
【図１３】携帯型質問器の処理を示すフローチャートである。
【発明を実施するための形態】
【００３２】
［第１実施形態］
まず、第１の実施形態にかかる開閉システム１を説明する。
図１は、本実施形態にかかる開閉システム１の構成を例示する図である。
図１に示すように、開閉システム１は、開閉部１０−１〜１０−５、部屋１２−１〜１２−４、照合装置２−１〜２−５および認証カード３から構成される。
なお、以下、照合装置２−１〜２−５など、複数ある構成部分のいずれかを特定せずに示すときには、単に、照合装置２などと略記することがある。
また、例えば、開閉部１０−１〜１０−５を、開閉部＃１〜＃５と称することがある。
なお、照合装置２および開閉部１０は、本実施形態においてはそれぞれ５つとしたが、それぞれ、３つ以上であればいくつであってもよい。
【００３３】
開閉部１０−１〜１０−４それぞれは、照合装置２−１〜２−４それぞれによる制御によって開閉する。
認証カード３は、照合装置２と通信する通信対象であって、認証カード３のユーザが開閉部１０を通過するために必要なユーザの識別子（ユーザ識別子）および後述する履歴情報を記憶する。
【００３４】
照合装置２は、認証カード３と通信を行い、認証カード３から情報を取得して照合を行い、照合結果に基づいて、開閉部１０の開閉を制御する。
また、照合装置２は、開閉部１０を開動作するように制御した場合に、認証カード３に、ユーザがその開閉部１０を通過した旨の記録を示す情報（以下、開閉部＃Ｎを通過した旨を示す情報を「開閉部＃Ｎ通過情報」と称し、開閉部を区別しない場合は「開閉部通過情報」と称す）を書き込むための処理を行う。
この開閉部通過情報は、その開閉部１０の識別子（以下、開閉部＃Ｎの識別子を「開閉部＃Ｎ識別子」と称し、開閉部を区別しない場合は「開閉部識別子」と称す）を含む。
さらに、照合装置２は、開閉部１０を開動作するように制御した場合に、ユーザがその開閉部１０を通過した時刻（つまり照合装置２が開閉部１０を開動作するように制御した時刻）を示す情報（開閉部通過時刻情報）を書き込むための処理を行う。
つまり、開閉システム１は、各照合装置２が認証カード３と通信する順序を管理する順序管理システムとして構成されている。
【００３５】
ここで、ユーザが部屋１２−４に進入しようとする場合を仮定する。
この場合、部屋１２−１を通過し、かつ開閉部１０−３を通過したときでないと、部屋１２−４に進入できないようにすべきことがある（つまり、セキュリティ上の観点等から、開閉部１０−５から進入したユーザは部屋１２−４に進入できない）。
つまり、この場合、ユーザは、開閉部１０−１，開閉部１０−２，１０−３の順に開閉部１０を通過しなければ、部屋１２−４の入口である開閉部１０−４を通過できない。
ここで、照合装置２−４は、後述するように、開閉部１０−１，１０−２，１０−３の順にそれらの識別子を記憶している。
なお、以下、このように、ある照合装置２（この場合は照合装置２−４）と通信する以前に認証カード３が通信すべき照合装置２の順序を定めた情報を、「基準順序情報」と称する。
【００３６】
一方、認証カード３は、照合装置２と通信をして開閉部１０が開動作されるごとに、通過した開閉部１０の順序の履歴に関する情報（履歴情報）を記憶する。
そして、照合装置２−４が認証カード３と通信し、基準順序情報と履歴情報とが一致するとの照合結果となった場合に、照合装置２−４は開閉部１０−４を開動作させるように制御する。
【００３７】
図２は、図１に示した照合装置２のハードウェア構成を示す図である。
図２に示すように、照合装置２は、ＣＰＵ等の演算部２１２及びメモリ等の記憶部２１４などを含む制御装置２１と、通信装置２２と、記録装置２４と、ユーザインターフェース装置（ＵＩ装置）２５と、読取書込装置２６とから構成される。
つまり、照合装置２は、情報処理および他の処理装置又は端末との通信が可能なコンピュータとしてのハードウェア構成部分を有している。
また、以下の各図において、実質的に同じ構成部分および処理には同じ番号が付される。
【００３８】
ＵＩ装置２５は、ＬＣＤ（Liquid Crystal Display）表示装置あるいはＣＲＴ（Cathode Ray Tube）表示装置等の表示装置およびキーボード・タッチパネルなどを含む。
読取書込部２６は、アンテナ２６４、送受信制御部２６６、変調回路２６８、送信回路２７０、受信回路２７２および復調回路２７４から構成される。
読取書込装置２６は、これらの構成部分によって、認証カード３に記憶された情報を読み取り、また、ＵＩ装置２５又は制御装置２１等によって作成された所定の情報を、認証カード３に書き込むための処理を行う。
【００３９】
読取書込装置２６において、送受信制御部２６６は、読取書込装置２６の各構成部分の動作を制御する。
また、送受信制御部２６６は、制御装置２１から入力されるデータを、変調回路２６８に対して出力する。
変調回路２６８は、送受信制御部２６６から入力されるデータで電波信号を変調し、送信回路２７１に対して出力する。
送信回路２７０は、認証カード３に記憶させるデータ及びクロック信号などを含む電波信号を、アンテナ２６４を介して、認証カード３に対して送信する。
【００４０】
受信回路２７２は、認証カード３からの反射信号を受信し、送受信制御部２６６に対して出力し、送受信制御部２６６は、データの書込みが正常になされたか否かを確認する。
また、受信回路２７２は、認証カード３からの情報を含む信号を受信し、復調回路３２８に対して出力する。
復調回路２７４は、受信回路２７２から入力された情報を復調し、送受信制御部２７４に対して出力する。
送受信制御部２６６は、復調された情報を、制御装置２１に対して出力する。
【００４１】
図３は、照合装置２において動作する照合プログラム２８を示すブロック・ダイアグラムである。
図３に示すように、照合プログラム２８は、履歴情報取得部２８０、ユーザ識別子取得部２８２、基準順序情報格納部２８４、許可ユーザ情報格納部２８６、照合部２８８、開閉制御部２９０および質問データ作成部２９２から構成される。
照合プログラム２８は、たとえば、記憶媒体２４０（図１）等を介して照合装置２に供給され、記憶部２１４にロードされ、照合装置２にインストールされたＯＳ（図示せず）上で、照合装置２のハードウェア資源を具体的に利用して実行される（以下に示す各ソフトウェアについても同様）。
【００４２】
また、図４は、各情報を例示する図であり、（Ａ）は履歴情報を例示し、（Ｂ）は基準順序情報を例示し、（Ｃ）および（Ｄ）は照合装置２が認証カード３に対して送信する質問データを例示する。
照合プログラム２８において、履歴情報取得部２８０は、読取書込装置２６が読み取った認証カード３に記憶された履歴情報を取得し、照合部２８８に対して出力する。
【００４３】
図４（Ａ）は、認証カード３に記憶され、履歴情報取得部２８０が取得する履歴情報を例示する図である。
図４（Ａ）は、図１を用いて上述した例のように、ユーザが開閉部＃１、開閉部＃２、開閉部＃３の順に開閉部１０を通過した場合の履歴情報を例示しており、この履歴情報は、開閉部＃１通過情報と、開閉部＃３通過情報と、開閉部＃３通過情報とをこの順で含み、さらに、それぞれの開閉部１０を通過した時刻を示す開閉部通過時刻を含んでもよい。
【００４４】
ユーザ識別子取得部２８２（図３）は、読取書込装置２６が読み取った認証カード３に記憶されたユーザ識別子を取得し、照合部２８８に対して出力する。
基準順序情報格納部２８４は、この照合プログラム２８が実行される照合装置２より以前に認証カード３が通信すべき照合装置２の順序を定めた基準順序情報を格納する。
【００４５】
図４（Ｂ）は、基準順序情報格納部２８４に格納された基準順序情報を例示する図である。
図４（Ｂ）は、図１を用いて上述した例のように、照合装置２−４に記憶された基準順序情報であって、開閉部１０−４を通過する前に、開閉部１０−１，開閉部１０−２，１０−３の順に開閉部１０を通過しなければならない場合の基準順序情報を例示する。
この基準順序情報は、開閉部＃１識別子と、開閉部＃２識別子と、開閉部＃３識別子とをこの順で含み、さらに、開閉部間許容時間を含んでもよい。
開閉部間許容時間は、ある開閉部１０の通過時刻と次の開閉部１０との通過時刻との間の時間間隔について、許容できる時間間隔を示す。
つまり、たとえば、開閉部１０−３の通過時刻と開閉部１０−４との通過時刻との間の時間間隔がこの開閉部間許容時間を超過した場合は、開閉部１０−４を通過できない。
【００４６】
許可ユーザ情報格納部２８６（図３）は、この照合プログラム２８が実行される照合装置２に対応する開閉部１０を通過することを許可されているユーザの識別子を格納する。
照合部２８８は、履歴情報取得部２８０から履歴情報を受け入れ、ユーザ識別子取得部２８２からユーザ識別子を受け入れた場合に、受け入れた履歴情報と基準順序情報格納部２８４に格納された基準順序情報とを照合する。
つまり、照合部２８８は、履歴情報に含まれる開閉部通過情報の順序と基準順序情報に含まれる開閉部識別子の順序とが一致するか否かを判断する。
例えば、図４（Ａ），（Ｂ）の例では、履歴情報に含まれる開閉部通過情報の順序と基準順序情報に含まれる開閉部識別子の順序とが一致するので、「順序が一致する」旨の照合結果を得る。
【００４７】
さらに、照合部２８８は、ユーザ識別子取得部２８２から受け入れたユーザ識別子が、許可ユーザ情報格納部２８６に格納されているか否かを判断する。
また、照合部２８８は、「順序が一致する」旨の照合結果を得、許可ユーザ情報格納部２８６にユーザ識別子が格納されていると判断した場合に、開閉制御部２９０に対して、開動作許可を示す信号（開動作制御信号）を出力する。
開閉制御部２９０は、上記信号を受け入れた場合に、この照合プログラム２８が実行される照合装置２に対応する開閉部１０を開動作させるための制御を行う。
さらに、照合部２８８は、「順序が一致する」旨の照合結果を得、許可ユーザ情報格納部２８６にユーザ識別子が格納されていると判断した場合に、質問データ作成部２９２が図４（Ｃ）に示す質問データを作成するための処理を行う。
【００４８】
また、照合部２８８は、「順序が一致しない」旨の照合結果を得た場合、または、許可ユーザ情報格納部２８６にユーザ識別子が格納されていないと判断した場合に、質問データ作成部２９２が図４（Ｄ）に示す質問データを作成するための処理を行う。なお、セキュリティ上の理由で、開閉部１０に何も制御信号を送らなく閉じたままにしておき、かつそのような質問データを送らないとしてもよい。
また、照合部２８８は、「順序が一致しない」旨の照合結果を得た場合、または、許可ユーザ情報格納部２８６にユーザ識別子が格納されていないと判断した場合に、警告音等、通過を許可しない旨の表示をＵＩ装置２５（図１）にさせるための処理を行ってもよい。
【００４９】
質問データ作成部２９２は、照合部２８８の照合結果および判断結果に基づいて、図４（Ｃ）または（Ｄ）に例示する質問データを作成する。
この認証カード３は、この質問データを受信することによって、記憶されている履歴情報を書き換える。
図４（Ｃ）は、通過が許可される場合の質問データを例示する。
図４（Ｃ）に例示される質問データは、この質問データが認証カード３に情報を書き込むことを示す書込符号と、質問データの送信先である認証カード３のユーザ識別子と、通過記録追加命令と、この照合プログラム２８が実行される照合装置２に対応する開閉部１０の開閉部識別子とを含む。
ここで、通過記録追加命令は、対応する開閉部１０を通過した旨を認証カード３に記憶された履歴情報に追加するための命令であって、認証カード３は、この通過記録追加命令と開閉部識別子とに基づいて、自身が記憶する履歴情報に開閉部通過情報を書き込む。
【００５０】
図４（Ｄ）は、通過が許可されない場合の質問データを例示する。
図４（Ｄ）に例示される質問データは、この質問データが認証カード３に情報を書き込むことを示す書込符号と、質問データの送信先である認証カード３のユーザ識別子と、この照合プログラム２８が実行される照合装置２に対応する開閉部１０の開閉部識別子と、差分情報とを含み、通過不可追加命令を含んでもよい。
【００５１】
ここで、差分情報は、履歴情報と基準順序情報との差分を示す情報であって、基準順序情報に含まれている開閉部識別子であって、履歴情報に対応する開閉部通過情報が含まれていないものを含む。
例えば、開閉部＃２，＃３を通過していない場合、差分情報は、開閉部＃２が未通過である旨を示す情報（開閉部＃２未通過情報）と、開閉部＃３未通過情報とを含む。
さらに、開閉部＃２と開閉部＃３との間の時間間隔が超過した場合、差分情報は、その旨を示す情報（開閉部＃２−＃３間時間超過情報）を含んでもよい。
また、通過不可追加命令は、対応する開閉部１０の通過を許可されなかった旨を示す情報（通過不可情報）を認証カード３に書き込むための命令であって、認証カード３は、この通過不可追加命令と開閉部識別子とに基づいて、自身が記憶する履歴情報に通過不可情報を書き込んでもよい。
【００５２】
図５は、図１に示した認証カード３のハードウェア構成を例示する図である。
図５に示すように、認証カード３は、アンテナ３２０およびＩＣチップ３３０から構成され、ＩＣチップ３３０は、電源部３３１、クロック再生部３３２、データ送受信部３３４、制御部３３６およびメモリ３３８から構成される。
また、認証カード３は、発光装置３４０を有してもよい。
ＩＣチップ３３０において、電源部３３１は、アンテナ３２０を介して供給される電波信号を整流して、ＩＣチップ３３０の各構成部分に対して、それらの動作に必要な電力を供給する。
【００５３】
クロック再生部３３２は、アンテナ３２０を介して、読取書込装置２６（図２）から供給される電波信号から、クロック信号を再生し、データ送受信部３３４、制御部３３６およびメモリ３３８に対して出力する。
データ送受信部３３４は、アンテナ３２０から入力される電波信号からデータ（質問データ）を復調し、クロック再生回路３３２から入力されるクロック信号に同期して、制御部３３６に対して出力する。
制御部３３６は、データ送受信部３３４からの質問データを分析し、質問データの内容に応じて認証カード３の構成部分全体を制御する。
メモリ３３８は、ユーザ識別子および履歴情報を記憶し、図４（Ｄ）に示す質問データが受信された場合においては差分情報を記憶してもよい。
【００５４】
制御部３３６は、たとえば質問データの内容がデータの読み出しである場合、メモリ３３８に記憶された情報を読み出す。
さらに、制御部３３６は、メモリ３３８から読み出したデータを含む応答データを作成し、データ送受信部３３４に対して出力する。
【００５５】
また、制御部３３６は、たとえば質問データの内容がデータの書き込みである場合（つまり質問データに書込符号が含まれる場合）、メモリ３３８に、質問データに含まれる情報を書き込み、または既存の情報を質問データに含まれる情報に書き換える。
さらに、制御部３３６は、データ書き込みの結果を示す応答データを、データ送受信部３３４に対して出力する。
具体的には、制御部３３６は、質問データに通過記録追加命令が含まれる場合、この通過記録追加命令と開閉部識別子とに基づいて、メモリ３３８に記憶された履歴情報に開閉部通過情報を書き込む。
【００５６】
一方、質問データに通過不可追加命令が含まれる場合、制御部３３６は、メモリ３３８に記憶された履歴情報に通過不可情報を書き込んでもよい。
また、差分情報に基づいて、制御部３３６は、通信している照合装置２に対応する開閉部１０の以前の各開閉部１０における通過許可または通過不可を示す開閉部状態情報を作成してもよい。
また、制御部３３６は、受信した質問データに含まれる通過記録追加命令又は差分情報に応じて、発光装置３４０を制御する。
【００５７】
データ送受信部３３４は、制御部３３６から応答データを受け入れて変調処理を行い、その処理の結果生成した応答データを含む反射信号を、アンテナ３２０を介して、照合装置２の読取書込装置２６に対して送信する。
【００５８】
発光装置３４０は、例えばＬＥＤである発光部３４２−１〜３４２−４を有する。
発光部３４０−１〜３４０−４は、開閉部１０−１〜１０−４（照合装置２−１〜２−４）に対応しており、通過記録追加命令又は差分情報に応じて、発光する色を変化させる。
具体的には、認証カード３が通過不可を示す質問データを照合装置２から受信した場合、発光装置３４０は、質問データに含まれる開閉部識別子に対応する発光部３４２を赤色に発光させ、差分情報に含まれる開閉部未通過情報に対応する開閉部に対応する発光部３４２を黄色に発光させ、その他の発光部３４２を緑色に発光させる。
【００５９】
例えば、認証カード３が図４（Ｄ）に例示する質問データを受信した場合、開閉部＃４の通過を許可されなかったので、開閉部＃４に対応する発光部３４２−４が赤色に発光する。
この場合、差分情報には、開閉部＃２未通過情報および開閉部＃３未通過情報が含まれるので、開閉部＃２および＃３に対応する発光部３４２−２および３４２−３が黄色に発光する。
また、この場合、発光部３４２−１は緑色に発光する。
一方、認証カード３が通過許可を示す質問データを照合装置２から受信した場合、発光装置３４０は、全ての発光部３４２を緑色に発光させる。
【００６０】
図６は、照合装置２の処理（Ｓ１０）を示すフローチャートである。
ステップ１０２（Ｓ１０２）において、照合装置２の読取書込装置２６は、読出符号を含む質問データを、認証カード３に対して送信する。
ステップ１０４（Ｓ１０４）において、照合装置２の読取書込装置２６は、認証カード３から、認証カード３に記憶された情報を含む応答信号を受信する。
ステップ１０６（Ｓ１０６）において、照合部２８８は、応答信号に含まれる履歴情報と基準順序情報とを照合して、「順序が一致する」旨の照合結果であるか否かを判断し、一致である場合には処理はＳ１０８に進み、一致でない場合には処理はＳ１１０に進む。
【００６１】
ステップ１０８（Ｓ１０８）において、照合装置２の読取書込装置２６は、通過記録追加命令を含む質問データを認証カード３に対して送信する。
ステップ１０９（Ｓ１０９）において、照合部２８８は、開閉制御部２９０に対して、開動作制御信号を送信する。
ステップ１１０（Ｓ１１０）において、照合装置２の読取書込装置２６は、通過不可追加命令を含む質問データを認証カード３に対して送信する。
なお、図６に示した各処理の順序などは、適宜、変更しても構わない。
このことは、以下に示すフローチャート等についても同様である。
【００６２】
また、基準順序情報に対応する基準順序は、１つの形態のみとは限らない。
図７は、各部屋が独立した開閉システム１００を示す図である。
この場合、照合装置２は、実線の矢印で示すような開閉部１０−１，１０−２，１０−３，１０−４，１０−５，１０−６という順序を示す基準順序情報と、破線の矢印で示すような開閉部１０−２，１０−４，１０−６という順序を示す基準順序情報とを含んでもよい。
【００６３】
［第２実施形態］
次に、第２の実施形態にかかる順序管理システム５を説明する。
図８は、第２の実施形態にかかる順序管理システム５の構成を例示する図である。
本実施形態において、順序管理システム５は、看護師等が患者等に対して所定の測定器を使用し、また所定の薬を投与する順序を管理するシステムを例示する。
なお、以後、「薬の使用」といった表現を用いて「薬の投与」という意味を示すことがある。
【００６４】
図８に示すように、順序管理システム５は、測定器Ｘ用応答器５０−１、測定器Ｙ用応答器５０−２、薬Ａ用応答器５２−１、薬Ｂ用応答器５２−２、薬Ｃ用応答器５２−３、薬Ｄ用応答器５２−４、識別カード５６および携帯型質問器６から構成される。
なお、以下、測定器Ｘ用応答器５０−１および測定器Ｙ用応答器５０−２を特定せずに示すときには、単に測定器用応答器５０と略記することがあり、薬Ａ用応答器５２−１、薬Ｂ用応答器５２−２、薬Ｃ用応答器５２−３および薬Ｄ用応答器５２−４を特定せずに示すときには、単に薬用応答器５２と略記することがある。
【００６５】
測定器用応答器５０および薬用応答器５２は、例えばＩＣチップを有し、携帯型質問器６と通信を行う通信対象であって、それぞれ、対応する測定器または薬の識別子（測定器／薬識別子）および後述する基準順序情報を記憶する。
なお、本実施形態において、基準順序情報とは、ある測定器用応答器５０または薬用応答器５２と通信する以前に、携帯型質問器６が通信すべき測定器用応答器５０または薬用応答器５２の順序を定めた情報である。
【００６６】
測定器Ｘ用応答器５０−１は、測定器Ｘ（例えば体温計）に付される。
測定器Ｙ用応答器５０−２は、測定器Ｙ（例えば血圧計）に付される。
薬Ａ用応答器５２−１は、薬Ａが保管された容器等に付される。
薬Ｂ用応答器５２−２は、薬Ｂが保管された容器等に付される。
薬Ｃ用応答器５２−３は、薬Ｃが保管された容器等に付される。
薬Ｄ用応答器５２−４は、薬Ｄが保管された容器等に付される。
【００６７】
識別カード５６は、例えばＩＣチップを有する応答器であって、携帯型質問器６と通信を行う通信対象であり、識別カード５６の使用者（患者等）の識別子（患者識別子）および後述する履歴情報を記憶する。
ここで、本実施形態において、履歴情報とは、識別カード５６の患者に対して使用された測定器および薬の順序を示す情報であって、携帯型質問器６が測定器用応答器５０、薬用応答器５２および識別カード５６と通信を行って照合を行うごとに、識別カード５６に記憶される。
測定器用応答器５０、薬用応答器５２および識別カード５６は、図５に示した第１の実施形態にかかる認証カード３と同様のハードウェア構成を有するが、発光装置３４０は有しなくてもよい。
【００６８】
携帯型質問器６は、測定器用応答器５０、薬用応答器５２および識別カード５６と通信を行い、測定器用応答器５０、薬用応答器５２および識別カード５６から情報を取得して照合を行い、照合結果に基づいて、測定器および薬の使用順序を管理する。
具体的には、測定器および薬を使用する前に、看護師等の操作によって、携帯型質問器６は、その測定器に付された測定器用応答器５０または薬の容器に付された薬用応答器５２と通信を行い、さらに、識別カード５６と通信を行う。
【００６９】
図９は、図８に示した携帯型質問器６のハードウェア構成を示す図である。
図９に示すように、携帯型質問器６は、ＣＰＵ等の演算部２１２及びメモリ等の記憶部２１４などを含む制御装置２１と、記録装置２４と、読取書込装置６００と、キーボード、テンキーまたはタッチパネル等の操作部６０２とＬＣＤまたはＬＥＤ等の表示部６０４とから構成される。
つまり、携帯型質問器６は、情報処理および他の処理装置又は端末との通信が可能なコンピュータとしてのハードウェア構成部分を有している。
【００７０】
読取書込装置６００は、アンテナ２６４、送受信制御部２６６、変調回路２６８、送信回路２７０、受信回路２７２および復調回路２７４から構成される。
読取書込装置６００は、これらの構成部分によって、測定器用応答器５０、薬用応答器５２および識別カード５６に記憶された情報を読み取り、また、操作部６０２又は制御装置２１等によって作成された所定の情報を、測定器用応答器５０、薬用応答器５２および識別カード５６に書き込むための処理を行う。
操作部６０２は、看護師等の操作を受け入れ、携帯型質問器６の動作を制御する。
表示部６０４は、照合結果を表示する。
【００７１】
図１０は、携帯型質問器６において動作する照合プログラム６２を示す図である。
図１０に示すように、照合プログラム６２は、履歴情報取得部６２０、患者識別子取得部６２２、基準順序情報取得部６２４、照合部６２６、表示制御部６２８および質問データ作成部６３０から構成される。
【００７２】
照合プログラム６２において、履歴情報取得部６２０は、読取書込装置６００が読み取った識別カード５６に記憶された履歴情報を取得し、照合部６２６に対して出力する。
患者識別子取得部６２２は、読取書込装置６００が読み取った識別カード５６に記憶された患者識別子を取得し、照合部６２６に対して出力する。
基準順序情報取得部６２４は、読取書込装置６００が読み取った測定器用応答器５０または薬用応答器５２に記憶された基準順序情報を取得し、照合部６２６に対して出力する。
【００７３】
照合部６２６は、履歴情報、患者識別子および基準順序情報を受け入れた場合に、履歴情報と基準順序情報とを照合する。
つまり、照合部６２６は、履歴情報に含まれる、測定器および薬の使用を示す情報（測定器／薬使用情報）の順序と、基準順序情報に含まれる測定器／薬識別子の順序とが、一致するか否かを判断する。
【００７４】
照合部６２６は、「順序が一致する」旨の照合結果を得た場合に、表示制御部６２８に対して、その旨を示す信号を出力する。
また、照合部６２６は、「順序が一致しない」旨の照合結果を得た場合に、表示制御部６２８に対して、その旨を示す信号、および、どの測定器または薬を使用すべきであるかを示す信号を出力する。
表示制御部６２８は、照合部６２６からの信号に応じて、表示部６０４に表示するための処理を行う。
【００７５】
さらに、照合部６２６は、「順序が一致する」旨の照合結果を得た場合に、質問データ作成部６３０が後述する質問データを作成するための処理を行う。
質問データ作成部６３０は、照合部６２６の照合結果に基づいて、書込符号と、患者識別子と、通信した測定器応答器５０または薬応答器５２に対応する測定器または薬を使用したことの記録を追加するための命令（使用記録追加命令）とを含む質問データを作成する。
読取書込装置６００は、作成された質問データを識別カード５６に対して送信し、識別カード５６は、この質問データを受信することによって、記憶されている履歴情報を書き換える。
【００７６】
図１１は、測定器および薬の使用の順序の具体例を示す図である。
図１１の例では、１回目において、測定器Ｘおよび測定器Ｙが使用される（測定器Ｘおよび測定器Ｙの使用の順序は任意でよい）。
２回目において、薬Ａ、薬Ｂおよび薬Ｃが使用される（薬Ａ、薬Ｂおよび薬Ｃの使用の順序は任意でよい）。
３回目において、薬Ｄが使用され、４回目において、測定器Ｙが使用される。
５回目において、薬Ａおよび薬Ｂが使用される（薬Ａおよび薬Ｂの使用の順序は任意でよい）。
６回目において、薬Ｄが使用される。
【００７７】
図１２は、図１１の例における基準順序情報および履歴情報を例示する図であり、（Ａ）は基準順序情報を例示し、（Ｂ）は履歴情報を例示する。
図１２（Ａ）の例においては、薬Ａに付された薬Ａ用応答器５２−１に記憶された基準順序情報が例示されている。
薬Ａは、図１１に示すように、２回目および５回目で使用される。したがって、薬Ａに対応する基準順序情報は、測定器／薬識別子と、２回目における基準順序情報（２回目基準情報）と、５回目における基準順序情報（５回目基準情報）とを含む。
２回目基準順序情報は、測定器Ｘ識別子と測定器Ｙ識別子とをこの順序で含み、５回目基準順序情報は、測定器Ｘ識別子と、測定器Ｙ識別子と、薬Ａ識別子と、薬Ｂ識別子と、薬Ｃ識別子と、薬Ｄ識別子と、測定器Ｙ識別子とを、この順序で含む。
【００７８】
また、図１２（Ｂ）の例においては、４回目が終了した時点における履歴情報が例示されている。
図１２（Ｂ）に示すように、履歴情報は、測定器Ｘが使用されたことを示す情報（測定器Ｘ使用情報）と、測定器Ｙ使用情報と、薬Ａ使用情報と、薬Ｂ使用情報と、薬Ｃ使用情報と、薬Ｄ使用情報と、測定器Ｙ使用情報とをこの順序で含み、さらに、それぞれの測定器および薬を使用した時刻を示す使用時刻情報を含んでもよい。
【００７９】
ここで、１回目においては、測定器Ｘおよび測定器Ｙが使用されるが、前述したように、同じ段階におけるこれらの使用の順序については、どちらを先に使用しても構わない。
一方、携帯型質問器６によって履歴情報が追加される場合は、どちらを先に使用したかに関わらず、所定の順序で使用情報が追加される。
つまり、図１２（Ｂ）に示すように、「測定器Ｘ使用情報」，「測定器Ｙ使用情報」の順で追加すると設定されている場合は、実際には測定器Ｙを使用した後に測定器Ｘを使用したとしても、履歴情報には、「測定器Ｘ使用情報」，「測定器Ｙ使用情報」の順で追加される。
このことは、複数の測定器または薬が使用される２回目および５回目においても同様である。
【００８０】
５回目において、携帯型質問器６は、図１２に例示した基準順序情報と履歴情報とを照合した場合、図１２（Ｂ）に示した履歴情報と図１２（Ａ）に示した５回目基準順序情報とが一致するので、「順序が一致する」旨の照合結果を得る。
また、仮に、図１２（Ｂ）に示した履歴情報において、最後に含まれる「測定器Ｙ使用情報」が欠落している場合、携帯型質問器６は、図１２（Ａ）に示した５回目基準順序情報とが一致しないので、「順序が一致しない」旨の照合結果を得る。
この場合、表示部６０４は、薬Ａの使用が正しくない旨を示す通知を表示し、さらに、測定器Ｙを使用すべき旨の通知を表示する。
【００８１】
図１３は、携帯型質問器６の処理（Ｓ２０）を示すフローチャートである。
ステップ２０２（Ｓ２０２）において、携帯型質問器６は、識別カード５６から履歴情報および患者識別子を受信する。
ステップ２０４（Ｓ２０４）において、携帯型質問器６は、測定器用応答器５０または薬用応答器５２から、基準順序情報を受信する。
ステップ２０６（Ｓ２０６）において、照合部６２６は、履歴情報と基準順序情報との照合結果が一致を示すか否かを判断し、一致する場合には処理はＳ２０８に進み、一致しない場合には処理はＳ２１２に進む。
【００８２】
ステップ２０８（Ｓ２０８）において、表示部６０４は、対応する測定器または薬の使用が正しいことを示す通知を表示する。
ステップ２１０（Ｓ２１０）において、携帯型質問器６は、対応する測定器または薬に関する使用記録追加命令を含む質問データを、識別カード５６に対して送信する。
ステップ２１２（Ｓ２１２）において、表示部６０４は、対応する測定器または薬の使用が正しくないことを示す通知、および、どの測定器または薬を使用すべきかを示す通知を表示する。
【００８３】
なお、図７を用いて前述したように、基準順序情報は、複数あってもよい。
つまり、各段階において、省略してもよい測定器または薬の使用がある場合は、履歴情報に対応する使用情報が含まれなくても、照合結果が一致を示すようにしてもよい。
また、本実施形態においては、使用が正しいことまたは正しくないことを示す表示は、携帯型質問器６になされるとしたが、ＬＥＤ等により、識別カード５６、測定器用応答器５０または薬用応答器５２に表示されるように構成されてもよい。
また、本実施形態においては、質問器は携帯型としたが、携帯型でなくてもよい。
また、本実施形態においては、基準順序情報は測定器用応答器５０および薬用応用器５２に記憶されるとしたが、携帯型質問器６に記憶されてもよい。
【符号の説明】
【００８４】
１，１００・・・開閉システム，
１０・・・開閉部，
１２・・・部屋，
２・・・照合装置，
２１・・・制御装置，
２２・・・通信装置，
２４・・・記録装置，
２５・・・ＵＩ装置，
２６・・・読取書込装置，
２６４・・・アンテナ，
２６６・・・送受信制御部，
２６８・・・変調回路，
２７０・・・送信回路，
２７２・・・受信回路，
２７４・・・復調回路，
２８・・・照合プログラム，
２８０・・・履歴情報取得部，
２８２・・・ユーザ識別子取得部，
２８４・・・基準順序情報格納部，
２８６・・・許可ユーザ情報格納部，
２８８・・・照合部，
２９０・・・開閉制御部，
２９２・・・質問データ作成部，
３・・・認証カード，
３２０・・・アンテナ，
３３０・・・ＩＣチップ，
３３１・・・電源部，
３３２・・・クロック再生部，
３３４・・・データ送受信部，
３３６・・・制御部，
３３８・・・メモリ，
３４０・・・発光装置，
３４２・・・発光部，
５・・・順序管理システム，
５０・・・測定器用応答器，
５２・・・薬用応答器，
５６・・・識別カード，
６・・・携帯型質問器，
６００・・・読取書込装置，
６０２・・・操作部，
６０４・・・表示部，
６２・・・照合プログラム，
６２０・・・履歴情報取得部，
６２２・・・患者識別子取得部，
６２４・・・基準順序情報取得部，
６２６・・・照合部，
６２８・・・表示制御部，
６３０・・・質問データ作成部，
【図１】
2011044010.tif 000003
【図２】
2011044010.tif 000004
【図３】
2011044010.tif 000005
【図４】
2011044010.tif 000006
【図５】
2011044010.tif 000007
【図６】
2011044010.tif 000008
【図７】
2011044010.tif 000009
【図８】
2011044010.tif 000010
【図９】
2011044010.tif 000011
【図１０】
2011044010.tif 000012
【図１１】
2011044010.tif 000013
【図１２】
2011044010.tif 000014
【図１３】
2011044010.tif 000015